(57)【要約】【課題】撮像装置とマーカを入力する携帯端末装置とが接続されていない場合でも、動画の適切な位置にマーカを入力することができる撮像システム、撮像装置、及びプログラムを提供すること。【解決手段】本発明にかかる撮像システムは、撮像装置１と、携帯端末装置５と、を備える。携帯端末装置５は、マーカ時刻情報生成部５４１と、時間差検出部５４２と、補正部５４３と、を有する。マーカ時刻情報生成部５４１は、撮像装置１が生成した動画ファイルに入力されたマーカとマーカの入力時刻を対応付けたマーカ時刻情報を生成する。時間差検出部５４２は、撮像装置１の時計２０８が計時する時刻と携帯端末装置５の時計５３が計時する時刻との時間差を検出する。そして、補正部５４３は、時間差検出部５４２が検出した時間差に基づいて、マーカ時刻情報に含まれるマーカの入力時刻を補正し、補正マーカ時刻情報を生成する。【選択図】図２
2015002356.tif 000002
【特許請求の範囲】
【請求項１】
時刻を計時する第１の計時部と、撮像処理により動画の撮像データを生成する撮像部と、前記撮像データに基づく動画ファイルを、前記第１の計時部により計時された前記撮像データの撮像時刻に対応づけて格納する記憶部と、を有する撮像装置と、
前記動画ファイルにマーカを入力するマーカ入力部と、時刻を計時する第２の計時部と、前記マーカ入力部により入力された前記マーカと前記第２の計時部により計時された前記マーカの入力時刻とを対応付けたマーカ時刻情報を生成するマーカ時刻情報生成部と、を有する携帯端末装置と、を備え、
前記第１の計時部が計時する時刻と前記第２の計時部が計時する時刻との時間差を検出する時間差検出部と、
前記時間差検出部が検出した前記時間差に基づいて、前記マーカ時刻情報に含まれる前記マーカの入力時刻を補正し、補正マーカ時刻情報を生成する補正部と、
を備える撮像システム。
【請求項２】
前記撮像時刻と、前記補正マーカ時刻情報と、に基づいて、前記動画ファイルに基づく動画を再生する再生部をさらに備える請求項１に記載の撮像システム。
【請求項３】
前記再生部は、前記時間差検出部の前記時間差の検出精度に基づいて、前記動画を再生する請求項２に記載の撮像システム。
【請求項４】
前記再生部は、前記補正マーカ時刻情報の前記マーカの入力時刻から前記動画を再生する場合、前記補正マーカ時刻情報の前記マーカの入力時刻に基づく前記動画の再生開始位置を、前記検出精度に応じた時間だけ早める請求項３に記載の撮像システム。
【請求項５】
前記再生部は、前記補正マーカ時刻情報の前記マーカの入力時刻において前記マーカに対応するマーカ画像を前記動画に重畳させて再生する場合、前記補正マーカ時刻情報の前記マーカの入力時刻に基づく前記マーカ画像の再生位置を、前記検出精度に応じた時間だけ遅らせる請求項３または４に記載の撮像システム。
【請求項６】
前記補正部は、前記時間差検出部により第１のタイミングにおいて検出された時間差と第２のタイミングにおいて検出された時間差とが異なる場合、前記第１及び第２のタイミングにおける時間差に基づいて、当該マーカの入力時刻の補正量を算出する請求項１〜５のいずれか一項に記載の撮像システム。
【請求項７】
前記補正部は、前記第１及び第２のタイミングにおける時間差の変化量と、前記第１のタイミングと前記第２のタイミングとの間の時間と、前記マーカの入力時刻と、に基づいて、当該マーカの入力時刻の前記補正量を算出する請求項６に記載の撮像システム。
【請求項８】
マーカを入力可能な携帯端末装置と接続可能な撮像装置であって、
撮像処理により動画の撮像データを生成する撮像部と、
時刻を計時する第１の計時部と、
前記撮像データに基づく動画ファイルを、前記第１の計時部により計時された前記撮像データの撮像時刻に対応づけて格納する記憶部と、  
マーカを入力可能な携帯端末装置により前記動画ファイルに対して入力されたマーカと、前記携帯端末装置が有する第２の計時部における前記マーカの入力時刻と、が対応付けられたマーカ時刻情報を前記携帯端末装置から受信する受信部と、
前記第１の計時部が計時する時刻と前記第２の計時部が計時する時刻との時間差を検出する時間差検出部と、
前記時間差検出部が検出した前記時間差に基づいて、前記マーカ時刻情報に含まれる前記マーカの入力時刻を補正し、補正マーカ時刻情報を生成する補正部と、
を備える撮像装置。
【請求項９】
マーカを入力可能な携帯端末装置と接続可能な撮像装置であって、
撮像処理により動画の撮像データを生成する撮像部と、
時刻を計時する第１の計時部と、
前記撮像データに基づく動画ファイルを、前記第１の計時部により計時された前記撮像データの撮像時刻に対応づけて格納する記憶部と、  
マーカを入力可能な携帯端末装置により前記動画ファイルに対して入力されたマーカと、前記携帯端末装置が有する第２の計時部における前記マーカの入力時刻と、が対応付けられたマーカ時刻情報が補正された補正マーカ時刻情報を前記携帯端末装置から受信する受信部と、
前記撮像時刻と、前記補正マーカ時刻情報と、に基づいて、前記動画ファイルに基づく動画を再生する再生部と、
を備える撮像装置。
【請求項１０】
前記携帯端末装置は、前記第１の計時部が計時する時刻と前記第２の計時部が計時する時刻との時間差を検出する時間差検出部を備え、
前記再生部は、前記時間差検出部の前記時間差の検出精度に基づいて、前記動画を再生する請求項９に記載の撮像装置。
【請求項１１】
前記再生部は、前記補正マーカ時刻情報の前記マーカの入力時刻から前記動画を再生する場合、前記補正マーカ時刻情報の前記マーカの入力時刻に基づく前記動画の再生開始位置を、前記検出精度に応じた時間だけ早める請求項１０に記載の撮像装置。
【請求項１２】
前記再生部は、前記補正マーカ時刻情報の前記マーカの入力時刻において前記マーカに対応するマーカ画像を前記動画に重畳させて再生する場合、前記補正マーカ時刻情報の前記マーカの入力時刻に基づく前記マーカ画像の再生位置を、前記検出精度に応じた時間だけ遅らせる請求項１０または１１に記載の撮像装置。  
【請求項１３】
時刻を計時する第１の計時部と、撮像処理により動画の撮像データを生成する撮像部と、前記撮像データに基づく動画ファイルを、前記第１の計時部により計時された前記撮像データの撮像時刻に対応づけて格納する記憶部と、を有する撮像装置に接続される携帯端末装置を制御するプログラムであって、
コンピュータに、
前記動画ファイルに対するマーカを入力させるステップと、
前記携帯端末装置に設けられた第２の計時部に時刻を計時させるステップと、
入力された前記マーカと前記第２の計時部により計時された前記マーカの入力時刻とを対応付けたマーカ時刻情報を生成させるステップと、
前記第１の計時部が計時する時刻と前記第２の計時部が計時する時刻との時間差を検出させるステップと、
検出した前記時間差に基づいて、前記マーカ時刻情報に含まれる前記マーカの入力時刻を補正し、補正マーカ時刻情報を生成させるステップと、
を実行させるプログラム。
【発明の詳細な説明】
【技術分野】
【０００１】
本発明は撮像システム、撮像装置、及びプログラムに関する。
【背景技術】
【０００２】
ビデオカメラ等の撮像装置を用いて動画や静止画を撮像する場合に、ユーザが自動ないし手動で撮像画像データに対して、その撮像画像を識別したり検索したりするためのマーカを付与する技術が知られている。これらのマーカを用いることにより、ユーザは、撮像された画像データの整理や検索を容易に行うことができる。
【０００３】
例えば、特許文献１には、マーカを付与するマーカ装置とビデオカメラ装置とを備えるマーク付与システムが開示されている。マーカ装置とビデオカメラ装置とは無線通信回線を介して接続されている。マーカ装置を操作することにより、ビデオカメラ装置が録画したクリップファイルにマーカを付与することができる。
【先行技術文献】
【特許文献】
【０００４】
【特許文献１】特開２００９−２９６５２６号公報
【発明の概要】
【発明が解決しようとする課題】
【０００５】
このとき、特許文献１において、例えば、マーカ装置とビデオカメラ装置とが、Ｂｌｕｅｔｏｏｔｈ（登録商標）やＷｉ−Ｆｉダイレクトを用いて通信する場合、マーカ装置とビデオカメラ装置との距離がある程度近くなければならない。しかしながら、屋外でのスポーツを撮影する場合等、マーカ装置（撮影者）とビデオカメラ装置とが離れているような状況では、安定した無線通信を実現することができず、マーカの入力が困難となってしまう。また、マーカ装置とビデオカメラ装置との間にアクセスポイントを設けることにより通信距離を延ばすことはできるが、アクセスポイントの設置にコストがかかる上、通信遅延が無視できなくなる。
【０００６】
一方、マーカ装置とビデオカメラ装置とを接続しない状態（オフライン）でマーカ入力を行うと、マーカの入力時刻とビデオカメラ装置により撮影された動画の時刻との同期がとれず、動画の適切な位置にマーカを入力することが困難となってしまうという問題がある。
【０００７】
本発明は、上述の課題に鑑みてなされたものであり、撮像装置とマーカを入力する携帯端末装置とが接続されていない場合でも、動画の適切な位置にマーカを入力することができる撮像システム、撮像装置、及びプログラムを提供することを目的とする。
【課題を解決するための手段】
【０００８】
本発明の一態様に係る撮像システムは、時刻を計時する第１の計時部（時計２０８）と、撮像処理により動画の撮像データを生成する撮像部（１００）と、前記撮像データに基づく動画ファイルを、前記第１の計時部により計時された前記撮像データの撮像時刻に対応づけて格納する記憶部（カード型記録媒体３０２）と、を有する撮像装置（１）と、前記動画ファイルにマーカを入力するマーカ入力部（５２）と、時刻を計時する第２の計時部（時計５３）と、前記マーカ入力部により入力された前記マーカと前記第２の計時部により計時された前記マーカの入力時刻とを対応付けたマーカ時刻情報を生成するマーカ時刻情報生成部（５４１）と、を有する携帯端末装置（５）と、を備え、前記第１の計時部が計時する時刻と前記第２の計時部が計時する時刻との時間差を検出する時間差検出部（５４２）と、前記時間差検出部が検出した前記時間差に基づいて、前記マーカ時刻情報に含まれる前記マーカの入力時刻を補正し、補正マーカ時刻情報を生成する補正部（５４３）と、を備えるものである。
また、本発明の一態様に係る撮像装置（１）は、マーカを入力可能な携帯端末装置（５）と接続可能な撮像装置であって、撮像処理により動画の撮像データを生成する撮像部（１００）と、時刻を計時する第１の計時部（時計２０８）と、前記撮像データに基づく動画ファイルを、前記第１の計時部により計時された前記撮像データの撮像時刻に対応づけて格納する記憶部（カード型記録媒体３０２）と、マーカを入力可能な携帯端末装置（５）により前記動画ファイルに対して入力されたマーカと、前記携帯端末装置が有する第２の計時部（時計５３）における前記マーカの入力時刻と、が対応付けられたマーカ時刻情報を前記携帯端末装置から受信する受信部（無線モジュール３０９）と、前記第１の計時部が計時する時刻と前記第２の計時部が計時する時刻との時間差を検出する時間差検出部（５４２）と、前記時間差検出部が検出した前記時間差に基づいて、前記マーカ時刻情報に含まれる前記マーカの入力時刻を補正し、補正マーカ時刻情報を生成する補正部（５４３）と、を備えるものである。
また、本発明の一態様に係るプログラムは、時刻を計時する第１の計時部（時計２０８）と、撮像処理により動画の撮像データを生成する撮像部（１００）と、前記撮像データに基づく動画ファイルを、前記第１の計時部により計時された前記撮像データの撮像時刻に対応づけて格納する記憶部（カード型記録媒体３０２）と、を有する撮像装置（１）に接続される携帯端末装置（５）を制御するプログラムであって、コンピュータに、前記動画ファイルに対するマーカを入力させるステップと、前記携帯端末装置に設けられた第２の計時部（時計５３）に時刻を計時させるステップと、入力された前記マーカと前記第２の計時部により計時された前記マーカの入力時刻とを対応付けたマーカ時刻情報を生成させるステップと、前記第１の計時部が計時する時刻と前記第２の計時部が計時する時刻との時間差を検出させるステップと、検出した前記時間差に基づいて、前記マーカ時刻情報に含まれる前記マーカの入力時刻を補正し、補正マーカ時刻情報を生成させるステップと、を実行させるものである。
【発明の効果】
【０００９】
本発明によれば、撮像装置とマーカを入力する携帯端末装置とが接続されていない場合でも、動画の適切な位置にマーカを入力することができる撮像システム、撮像装置、及びプログラムを提供することができる。
【図面の簡単な説明】
【００１０】
【図１】実施の形態にかかる撮像システムの構成を示す図である。
【図２】実施の形態にかかる撮像装置の構成を示すブロック図である。
【図３】実施の形態にかかるカード型記録媒体の構成を示すブロック図である。
【図４】実施の形態にかかるマーカ種別テーブルである。
【図５】実施の形態にかかるマーカ時刻情報である。
【図６】実施の形態にかかる携帯端末装置の構成を示すブロック図である。
【図７】実施の形態にかかるマーカ時刻情報の補正処理を説明するための図である。
【図８】実施の形態にかかる携帯端末装置のインターフェイス画像を説明するための図である。
【図９】実施の形態にかかる撮像システムの動画を説明するためのシーケンス図である。
【図１０】変形例２にかかる補正処理を説明するための図である。
【発明を実施するための形態】
【００１１】
以下、図面を参照して本発明の実施の形態について説明する。図１は、本実施の形態にかかる撮像システムの構成を示す図である。図１に示すように、撮像システムは、撮像装置１と、携帯端末装置５と、を備える。撮像装置１と携帯端末装置５とは、無線通信回線を介して接続可能である。無線通信としては、例えば、Ｗｉ−ＦｉダイレクトやＢｌｕｅｔｏｏｔｈ（登録商標）等を用いることができる。なお、ＵＳＢケーブル等を用いて有線で撮像装置１と携帯端末装置５とを接続してもよい。また、撮像装置１と携帯端末装置５との接続は１対１に限られない。１つの撮像装置１に対して複数の携帯端末装置５が接続されてもよい。
【００１２】
＜撮像装置１の構成＞
次に、本実施の形態にかかる撮像装置１の構成について、図２のブロック図を参照して説明する。撮像装置１は、画像を撮像するためのレンズユニット及び撮像素子を用いて、静止画及び動画を撮像することができる。また、撮像装置１は、静止画または動画像を撮像でき、例えば液晶モニタ等の表示部を有するものであれば、その形状、及び構成は特に限定されるものではない。すなわち、撮像装置１は、ビデオカメラに限らず、撮像部及び表示部を有する電子機器（たとえばスマートフォン等の携帯端末装置）であればよい。
【００１３】
撮像装置１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
【００１４】
撮像部１００を用いた撮像は以下の手順で行われる。撮像素子１０４はズームレンズ１０１、フォーカスレンズ１０２、及び絞り１０３を通過した光を光電変換して、被写体のアナログ画像信号を生成する。アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像データとして取り込んで、バス２００を介してメインメモリ２０５に格納する。
【００１５】
デジタル信号処理部１０８は、バス２００を介して中央制御部４００からの指令に基づき、メインメモリ２０５に格納された撮像データを取り込み、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、光源種別判定処理等の各種デジタル補正を行う。
【００１６】
マイク１０９は撮像時の周囲の音声を周音し、アナログ音声信号を生成する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像データと併せてメインメモリ２０５に格納する。
【００１７】
多重化部１１３は、メインメモリ２０５に格納された撮像データ及びデジタル音声データの圧縮データを多重化しストリームデータを生成する。また、多重化部１１３は、カード型記録媒体３０２に格納されたストリームデータに逆多重化処理を施し、映像の圧縮データと音声の圧縮データとをそれぞれ分離して生成する。
【００１８】
圧縮・伸張処理部２０１は、バス２００を介して中央制御部４００からの指示に従い、メインメモリ２０５に格納された撮像データ及びデジタル音声データに所定の圧縮処理を施し、圧縮データを生成する。また、圧縮・伸張処理部２０１は、中央制御部４００からの指令に従い、カード型記録媒体３０２等に格納された映像の圧縮データ及び音声の圧縮データに所定形式の伸張処理を施し、非圧縮データを生成する。なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００１９】
音声・画像処理部２０２は、バス２００を介して中央制御部４００の指示に従い、メインメモリ２０５から読み出したデジタルデータに所定の画像処理を施す。例えばメニュー画像やＯＳＤ画像等、各種処理のための画像データを生成し、その画像データをメインメモリ２０５から読み出されたオリジナルの撮像データに重畳させて液晶モニタ３０４に出力する。この出力によって、液晶モニタ３０４に表示される画像は各種画像データが合成ないし重畳されたものとなる。なお、液晶モニタ３０４の代わりに有機ＥＬ（Electro - Luminescence）モニタ等の他のモニタを用いることも可能である。
【００２０】
ＲＯＭ２０３はバス２００を介して中央制御部４００に接続されており、中央制御部４００が実行する制御プログラム及び制御に必要な各種データ等を格納している。フラッシュＲＯＭ２０４は、ユーザの設定情報等、撮像装置１の動作に関する各種設定情報を格納している。
【００２１】
メインメモリ２０５は、撮像データ（動画像及び静止画）の一時記憶領域として使用される。メインメモリ２０５は、中央制御部４００の指令に応じて、保持している多重化されたストリームデータ（動画ファイル）をカード型記録媒体３０２または内蔵型記録媒体２０９に格納する。このとき、ストリームデータの格納先をカード型記録媒体３０２にするか、内蔵型記録媒体２０９にするかについて、ユーザが選択できるようにしてもよい。なお、メインメモリ２０５は、中央制御部４００の演算作業領域としても使用される。
【００２２】
メディア制御部２０６は、中央制御部４００の指令に従い、カードＩ／Ｆ３０１を通じてカード型記録媒体３０２または内蔵型記録媒体２０９へのデータの書き込みやデータの読み出しを制御する。カード型記録媒体３０２は（記憶部）ＳＤカードやコンパクトフラッシュ（登録商標）等の外部メモリであり、撮像装置１に対して脱着可能に設けられている。また、カード型記録媒体３０２は、後述する動画ファイル、マーカ種別テーブル、及びマーカ時刻情報を記憶する。
【００２３】
ジャイロセンサ２０７は、３軸の加速度及び角速度の変化を検出する。そして、ジャイロセンサ２０７の検出結果に応じて、液晶モニタ３０４の表示向きを変える。時計２０８（第１の計時部）は、撮像画像データの取得日時の情報や、マーカが入力された日時及び時刻等を示す入力時刻情報を生成する。内蔵型記録媒体２０９は、撮像装置１に予め内蔵されたＲＡＭ等のメモリである。
【００２４】
液晶モニタ３０４、スピーカ３０５、操作部３０６及び入出力端子３０７は入出力Ｉ／Ｆ３０３に接続されている。液晶モニタ３０４は、例えばメインメモリ２０５に一時記録された撮像データ、又はインターフェイス画像データや各種メニュー画像データ等、各種画像データから生成された画像を表示する。ここで、液晶モニタ３０４に出力される撮像データは、ユーザが操作部３０６の図示しない録画ボタンをＯＮにしてカード型記録媒体等の図示しない記録媒体に記録するものだけでなく、ユーザが撮像する内容を確認するために液晶モニタ３０４に表示される、いわゆるスルー画像に係るデータも含まれるのは勿論である。スピーカ３０５は、例えばメインメモリ２０５に一時記録された音声を出力する。
【００２５】
操作部３０６は、操作ボタン、又は液晶モニタ３０４上に設けられたタッチパネル等から構成されており、ユーザの撮像装置１への操作入力を受け付ける。入出力端子３０７は、図示しないテレビモニタやＰＣ（Personal Computer）等に接続される。
【００２６】
無線モジュール３０９（受信部）は、バス２００及び無線Ｉ／Ｆ３０８を介して、後述の補正マーカ時刻情報等の各データを携帯端末装置５との間で送受信する。各種情報及び撮像画像データ等の無線通信はＩＥＥＥ８０２．１１規格に準拠した方式で行われる。より具体的には、無線モジュール３０９は、Ｗｉ−Ｆｉ等の無線ＬＡＮ規格に準拠した通信処理を行う。
【００２７】
中央制御部４００はＣＰＵ（Central Processing Unit）、各種プログラムが格納されたＲＯＭ（Read Only Memory）、及びワークエリアとしてのＲＡＭ（Random Access Memory）等を含む半導体集積回路により構成され、撮像、各種画像の表示、及びユーザが撮像画像データにマーカを入力するために、撮像状況に応じて使用されるマーカの種類等に対応したアイコン画像を適切に配置したＧＵＩ（Graphic User Interface）に係る画像（以下、「インターフェイス画像」という。）の特定等の撮像装置１全体の処理を統括的に制御する。中央制御部４００は、動画ファイル管理部４０１と、マーカデータ管理部４０２と、表示画像データ生成部４０３と、を有する。
【００２８】
動画ファイル管理部４０１（再生部）は、ユーザの操作に基づいて、動画ファイルの記録、再生、コピー、及び削除等の処理を実行する。
【００２９】
マーカデータ管理部４０２は、携帯端末装置５から送信される補正マーカ時刻情報を動画ファイルに対応づけて、カード型記録媒体３０２に格納する。補正マーカ時刻情報とは、動画ファイルに対して入力されたマーカと、当該マーカの入力時刻と、が対応付けられた情報である。補正マーカ時刻情報は、携帯端末装置５において生成される。なお、補正マーカ時刻情報の生成処理については後述する。
【００３０】
表示画像データ生成部４０３は、インターフェイス画像やマーカ画像（各種マーカに対応する画像）と共に動画を表示するための表示画像データを生成する。つまり、表示画像データ生成部４０３は、動画ファイルに、マーカ画像データを重畳させる。表示画像データ生成部４０３は、液晶モニタ３０４に、生成した表示画像データを出力する。
【００３１】
マーカ画像を表示するためのマーカ画像データは、例えば予めカード型記録媒体３０２内に格納されていてもよく、図示しないサーバや撮像装置１に着脱可能な任意の記憶装置（いわゆるＵＳＢメモリ等）から取得してもよい。
【００３２】
表示画像データ生成部４０３が生成した表示画像データは、入出力Ｉ／Ｆ３０３から液晶モニタ３０４に出力される。液晶モニタ３０４は、供給された表示画像データに係る表示画像を表示する。液晶モニタ３０４には、再生中の動画と関連するマーカ画像を合成した表示画像が表示される。
【００３３】
＜カード型記録媒体３０２の詳細＞
ここで、図３を参照して、カード型記録媒体３０２に格納された各種データについて詳細に説明する。図３に示すように、カード型記録媒体３０２は、動画ファイル３１と、マーカ種別テーブル３２と、補正マーカ時刻情報３３と、を格納する。なお、カード型記録媒体３０２は、図３に示したデータ以外も格納し得るが、本発明に直接関係しないデータの説明は省略する。
【００３４】
動画ファイル３１は、上述したストリームデータであり、撮像データと音声データが多重化された動画のデータである。カード型記録媒体３０２は、複数の動画ファイル３１を格納する。なお、動画ファイル３１には、時計２０８により計時された撮像時刻が対応付けられている。撮像時刻とは、撮像データの撮像開始時刻や撮像終了時刻等である。
【００３５】
マーカ種別テーブル３２は、マーカＩＤ（識別情報）と当該マーカＩＤに対応するマーカとが対応付けられて格納されたテーブルである。なお、マーカとは、動画の任意の時刻を示す標識を意味する。また、マーカは、時刻を示す標識であると共に、再生中の動画とは別のテキストまたは画像であって、当該動画上に表示されるものであってもよい。マーカは、ユーザが後述する携帯端末装置５を操作することにより入力される。
【００３６】
図４にマーカ種別テーブル３２の一例を示す。図４に示すマーカ種別テーブル３２には、６種類のマーカＩＤ及びマーカが格納されている。マーカＩＤ１０に対応するマーカは、試合の開始を指定するための試合開始マーカ（スタートマーカ）である。マーカＩＤ２０に対応するマーカは、試合の終了を指定するための試合終了マーカ（エンドマーカ）である。マーカＩＤ３０に対応するマーカは、得点が入ったことを示す得点マーカ（スコアマーカ）である。マーカＩＤ４０に対応するマーカは、確認すべき時刻を示すチェックマーカである。マーカＩＤ５０に対応するマーカは、笑顔が写っていることを示す笑顔マーカである、マーカＩＤ６０に対応するマーカは、良いプレーを示すグッドマーカである。なお、マーカの種類は、図４に示したものに限られない。また、マーカはテキストではなく画像であってもよい。以下では、マーカに対応する画像をマーカ画像と称す。
【００３７】
補正マーカ時刻情報３３は、動画ファイルに対して入力されたマーカと、当該マーカの入力時刻と、が対応付けられた情報である。補正マーカ時刻情報３３は、動画ファイル３１に対応付けられて、カード型記録媒体３０２に格納される。例えば、複数の補正マーカ時刻情報３３は、複数の動画ファイル３１に対して、一対一で対応付けられる。
【００３８】
図５に補正マーカ時刻情報３３の一例を示す。例えば、一番上のマーカは、マーカＩＤが「１０」であり、入力時刻が「１０時００分０２秒」である。図４に示したように、マーカＩＤ１０のマーカは、試合開始マーカである。つまり、補正マーカ時刻情報３３の一番上のマーカは、時刻１０時００分０２秒に試合開始マーカが入力されたことを意味する。なお、このときの時刻は、携帯端末装置５において補正された時刻である。また、本実施の形態においては、説明の簡略化のため入力時刻として「時分秒」のみを用いているが、これに限られるものではない。例えば、携帯端末装置５に格納された数日分の補正マーカ時刻情報をまとめて撮像装置１に送信する場合には、入力時刻に「年月日」の時刻情報を含めてもよい。また、入力時刻をより正確に特定するために、入力時刻に「ミリ秒」の時刻情報を含めてもよい。
【００３９】
＜携帯端末装置５の構成＞
次に、本実施の形態にかかる携帯端末装置５の構成について説明する。図６に携帯端末装置５のブロック図を示す。携帯端末装置５は、少なくとも表示部５１と、入力部５２と、時計５３と、制御部５４と、通信部５５と、メモリ５６と、を備える。携帯端末装置５は、例えば、携帯電話機、スマートフォン、タブレットＰＣ等である。
【００４０】
表示部５１は、携帯端末装置５のインターフェイス画像データや各種メニュー画像データ等、各種画像データから生成された画像を表示する。表示部５１は、例えば、ＬＣＤ（Liquid Crystal Display）や有機ＥＬ（Electro Luminescence）である。
【００４１】
入力部５２（マーカ入力部）は、操作ボタン、又は表示部５１上に設けられたタッチパネル等から構成されており、ユーザの携帯端末装置５への操作入力を受け付ける。また、ユーザは、入力部５２を用いて、撮像装置１が生成する動画ファイルに対してマーカを入力することができる。時計５３（第２の計時部）は、携帯端末装置５における時刻を計時する。なお、時計５３の時刻は、撮像装置１の時計２０８の時刻とは同期していない。
【００４２】
制御部５４は、ＣＰＵ、各種プログラムが格納されたＲＯＭ、及びワークエリアとしてのＲＡＭ等を含む半導体集積回路により構成され、携帯端末装置５全体の処理を統括的に制御する。制御部５４は、マーカ時刻情報生成部５４１と、時間差検出部５４２と、補正部５４３と、を有する。
【００４３】
マーカ時刻情報生成部５４１は、入力部５２により入力されたマーカと、時計５３により計時されたマーカの入力時刻と、を対応付けたマーカ時刻情報を生成する。例えば、マーカ時刻情報生成部５４１は、マーカＩＤとマーカの入力時刻とを対応付けて、マーカ時刻情報を生成する。
【００４４】
時間差検出部５４２は、撮像装置１における現在時刻と、携帯端末装置５における現在時刻と、のずれを検出する。つまり、時間差検出部５４２は、撮像装置１の時計２０８の時刻と、携帯端末装置５の時計５３と、の時間差を検出する。
【００４５】
このとき、時間差検出部５４２は、例えばＮＴＰ（Network Time Protocol）の原理を用いて、撮像装置１と携帯端末装置５との間の時刻ずれを検出する。具体的には、携帯端末装置５が、撮像装置１に対して、撮像装置１の時計２０８の時刻情報の送信要求Ｄ１を送信する。撮像装置１は、送信要求Ｄ１を受信する。すると、時計２０８の時刻情報を取得し、携帯端末装置５に対して、時計２０８の時刻情報を含む応答Ｄ２を送信する。そして、携帯端末装置５は、応答Ｄ２を受信する。
【００４６】
ここで、携帯端末装置５が送信要求Ｄ１を送信した時刻（時計５３が計時した時刻）をＴ１、撮像装置１が送信要求Ｄ１を受信した時刻（時計２０８が計時した時刻）をＴ２、撮像装置１が応答Ｄ２を送信した時刻（時計２０８が計時した時刻）をＴ３、携帯端末装置５が応答Ｄ２を受信した時刻（時計５３が計時した時刻）をＴ４とすると、撮像装置１と携帯端末装置５との時刻のずれは、（（Ｔ２−Ｔ１）−（Ｔ４−Ｔ３））／２を計算することにより算出できる。なお、時間差検出部５４２における時間差の検出方法はこれに限られず、他の方法を用いてもよい。
【００４７】
補正部５４３は、時間差検出部５４２が取得した時間差に基づいて、マーカ時刻情報に含まれるマーカの入力時刻を補正し、補正マーカ時刻情報を生成する。具体的には、補正部５４３は、マーカ時刻情報に含まれるマーカの入力時刻を、時間差検出部５４２が取得した時間差に応じた時間だけ早めたり、遅らせたりする。
【００４８】
ここで、図７を用いて、補正部５４３による入力時刻の補正処理を説明する。図７は、補正前のマーカ時刻情報と補正後のマーカ時刻情報を示す。図７の例においては、時間差検出部５４２により検出された時間差が３秒であり、撮像装置１の時計２０８に対して携帯端末装置５の時計５３が遅れているものとする。
【００４９】
補正部５４３は、撮像装置１の時計２０８に対して携帯端末装置５の時計５３が遅れている場合、マーカ時刻情報に含まれるマーカの入力時刻に時間差（３秒）を加算する。つまり、補正部５４３は、マーカの入力時刻を実際の入力時刻よりも３秒早める。これにより、補正部５４３は、補正マーカ入力情報を生成する。一方、図示は省略するが、撮像装置１の時計２０８に対して携帯端末装置５の時計５３が進んでいる場合、補正部５４３は、マーカ時刻情報に含まれるマーカの入力時刻から時間差を減算する。つまり、補正部５４３は、マーカの入力時刻を実際の入力時刻よりも遅らせる。
【００５０】
通信部５５は、撮像装置１と無線通信を行う。通信部５５は、例えば、時間差検出部５４２の時間差検出処理において行われる通信や、補正マーカ時刻情報の送信等を行う。メモリ５６は、マーカ時刻情報、補正マーカ時刻情報、時計２０８と時計５３との時間差等を格納する。
【００５１】
なお、携帯端末装置５には、予めマーカ入力用のアプリケーションがダウンロードされているものとする。当該アプリケーションには、マーカ入力の際に用いられるＵＩ(User Interface)画像等が含まれる。携帯端末装置５の表示部５１に表示されるＵＩ画像の一例を図８に示す。携帯端末装置５は、ＵＩ画像として、テレアイコン９３１、ワイドアイコン９３２、録画開始／録画停止アイコン９３３、試合開始マーカアイコン９３４、グッドマーカアイコン９３５、チェックマーカアイコン９３６、フリーマーカアイコン９３７、得点マーカアイコン９３８、及び選手交代マーカアイコン９３９を有する。
【００５２】
テレアイコン９３１がタッチされると、携帯端末装置５は、撮像装置１に対して望遠動作を指示する。ワイドアイコン９３２がタッチされると、携帯端末装置５は、撮像装置１に対して広角動作を指示する。録画開始／録画停止アイコン９３３がタッチされると、携帯端末装置５は、撮像装置１に対して録画開始を指示し、録画中であれば録画停止を指示する。試合開始マーカアイコン９３４、グッドマーカアイコン９３５、チェックマーカアイコン９３６、フリーマーカアイコン９３７、得点マーカアイコン９３８、及び選手交代マーカアイコン９３９がタッチされると、携帯端末装置５は、各アイコンに対応するマーカの入力を実行する。つまり、マーカ時刻情報生成部５４１がマーカ時刻情報を生成する。
【００５３】
＜撮像システムの動作＞
続いて、本実施の形態にかかる撮像システムの動作について説明する。図９は、撮像システムの動作例を示すシーケンス図である。
【００５４】
まず、ユーザは、携帯端末装置５の録画開始／録画停止アイコン９３３をタッチし、撮像開始操作を行う（ステップＳ１０１）。これにより、携帯端末装置５は、撮像装置１に対して、撮像処理の開始を指示する（ステップＳ１０２）。中央制御部４００は、撮像処理の開始指示を受けると、撮像部１００に撮像処理を開始させる（ステップＳ１０３）。
【００５５】
次に、ユーザは、イベント（試合）を目視しながら、携帯端末装置５の入力部５２を操作して、マーカを入力する（ステップＳ１０４）。例えば、ユーザは、試合開始マーカアイコン９３４や得点マーカアイコン９３８等をタッチすることにより、マーカを入力する。勿論、ステップＳ１０４において、複数のマーカが入力されてもよい。
【００５６】
マーカの入力操作が行われると、マーカ時刻情報生成部５４１は、入力されたマーカと、時計５３により計時されたマーカの入力時刻と、を対応付けたマーカ時刻情報を生成する（ステップＳ１０５）。
【００５７】
その後、ユーザは、録画開始／録画停止アイコン９３３をタッチし、撮像終了操作を行う（ステップＳ１０６）。これにより、携帯端末装置５は、撮像装置１に対して、撮像処理の終了を指示する（ステップＳ１０７）。これにより、撮像装置１は、撮像処理を終了する（ステップＳ１０８）。そして、撮像データは圧縮され、動画ファイルとしてカード型記録媒体３０２に格納される。
【００５８】
撮像処理が終了すると、携帯端末装置５は、マーカ時刻情報の補正処理を開始する（ステップＳ１０９）。なお、ステップＳ１０９の処理は、撮像終了操作（ステップＳ１０６）とは異なる操作をトリガとして行われる。勿論、撮像終了操作（ステップＳ１０６）をトリガとしてステップＳ１０９の処理が行われてもよい。
【００５９】
マーカ時刻情報の補正処理が始まると、時間差検出部５４２は、撮像装置１の時計２０８の時刻情報の送信要求Ｄ１を撮像装置１に送信する（ステップＳ１１０）。撮像装置１は、送信要求Ｄ１を受信すると、時計２０８の時刻情報を取得し、携帯端末装置５に対して、時計２０８の時刻情報と、撮像装置１が送信要求Ｄ１を受信した時刻Ｔ２と、撮像装置１が応答Ｄ２を送信した時刻Ｔ３と、を含む応答Ｄ２を送信する（ステップＳ１１１）。そして、時間差検出部５４２は、送信要求Ｄ１の送信時刻Ｔ１、送信要求Ｄ１の受信時刻Ｔ２、応答Ｄ２の送信時刻Ｔ３、及び応答Ｄ２の受信時刻Ｔ４に基づいて、時計２０８と時計５３との時間差を検出する（ステップＳ１１２）。
【００６０】
補正部５４３は、時間差検出部５４２により検出された時間差を用いて、マーカ時刻情報のマーカの入力時刻を補正し、補正マーカ時刻情報を生成する（ステップＳ１１３）。そして、携帯端末装置５は、補正マーカ時刻情報を撮像装置１に送信する（ステップＳ１１４）。
【００６１】
撮像装置１のマーカデータ管理部４０２は、受信した補正マーカ時刻情報を、ステップＳ１０８において生成された動画ファイルに対応付けて、カード型記録媒体３０２に格納する（ステップＳ１１５）。このとき、マーカデータ管理部４０２は、例えば、以下のステップ（０）〜（３）の処理を行う。
（０）撮像装置１に記録されている動画ファイルを撮像開始時刻の古い順に並べる。
（１）撮像装置１に記録されている動画ファイルの数を変数ｉに代入する。
（２）補正マーカ時刻情報の入力時刻がｉ番目の動画ファイルの撮像開始時刻以降の場合、補正マーカ時刻情報をｉ番目の動画ファイルに対応付けて、処理を終了する。一方、補正マーカ時刻情報の入力時刻がｉ番目の動画ファイルの撮像開始時刻より前だった場合、ステップ（３）へ進む。
（３）ｉ＞１だったら、ｉを１だけ減らしてステップ（２）へ進む。ｉ＝１だったら、補正マーカ時刻情報を破棄して（どの動画ファイルにも対応付けない）、処理を終了する。
【００６２】
その後、動画ファイル管理部４０１は、ユーザの操作に応じて、補正マーカ時刻情報に基づいて、動画ファイルに対応する動画を再生する（ステップＳ１１６）。このとき、補正マーカ時刻情報に基づいて動画を再生するとは、ユーザにより補正マーカ時刻情報に含まれるマーカが選択された場合に、当該マーカの入力時刻に対応する位置から動画を再生することや、動画の時刻がマーカの入力時刻に対応する時刻になると、マーカ画像を動画に表示（動画にマーカ画像を重畳）させること等を含む。なお、再生すべき動画の時刻（フレーム位置）やマーカ画像を表示すべき動画の時刻（フレーム位置）については、例えば、動画の撮像開始時刻（時計２０８により計時された時刻）と、撮像開始からの経過時間と、補正マーカ時刻情報と、を用いることにより特定することができる。
【００６３】
例えば、図５に示した例において、動画の撮像開始時刻が９時５０分５０秒であるとすると、動画ファイル管理部４０１は、試合開始マーカから再生する場合、試合開始マーカの入力時刻と撮像開始時刻との差分の時間が経過した位置から動画を再生する。つまり、動画ファイル管理部４０１は、動画ファイルの先頭から９分１２秒後の位置から動画を再生する。同様に、動画ファイル管理部４０１及び表示画像データ生成部４０３は、得点マーカを動画に表示させる場合、得点マーカの入力時刻と撮像開始時刻との差分の時間が経過した位置において動画にマーカ画像を表示させる。つまり、動画ファイル管理部４０１及び表示画像データ生成部４０３は、動画ファイルの先頭から２１分１８秒後の位置において得点マーカのマーカ画像を表示する。
【００６４】
なお、動画ファイルの各フレームに時刻情報が付されている場合には、動画ファイル管理部４０１は、補正マーカ時刻情報の入力時刻に対応するフレーム位置から動画を再生したり、当該フレーム位置においてマーカ画像を表示したりすればよい。
【００６５】
以上のように、本実施の形態にかかる撮像システムの構成によれば、時間差検出部５４２が、撮像装置１の時計２０８の時刻と携帯端末装置５の時計５３の時刻との時間差を検出する。また、補正部５４３が、時間差検出部５４２により検出された時間差に基づいて、マーカ時刻情報に含まれるマーカの入力時刻を補正し、補正マーカ時刻情報を生成する。マーカデータ管理部４０２は、生成された補正マーカ時刻情報を動画ファイルと対応付けてカード型記録媒体３０２に格納する。そして、動画ファイル管理部４０１が、動画ファイルの撮像時刻と、補正マーカ時刻情報と、に基づいて、動画ファイルを再生する。これにより、マーカ時刻情報に含まれるマーカ入力時刻が撮像装置１に合わせて補正される。このため、撮像装置と携帯端末装置とが接続されていない状態（同期していない状態）でマーカが入力された場合でも、動画の適切な位置にマーカを入力することができる。
【００６６】
＜変形例１＞
本実施の形態の変形例１について説明する。変形例１にかかる撮像装置においては、動画ファイル管理部４０１の再生方法が上述の実施の形態とは異なる。なお、その他の構成については撮像装置１と同様であるので、説明を適宜省略する。
【００６７】
動画ファイル管理部４０１は、時間差検出部５４２における時間差の検出精度に基づいて、動画ファイルを再生する。具体的には、動画ファイル管理部４０１は、補正マーカ時刻情報を用いて動画を再生する場合、時間差の検出精度に応じて、補正マーカ時刻情報に含まれるマーカの入力時刻に基づく再生開始位置よりも前の時刻から動画ファイルを再生する。つまり、動画ファイル管理部４０１は、補正マーカ時刻情報のマーカの入力時刻に基づく動画の再生開始位置を、検出精度に応じた時間だけ早める。なお、時間差の検出精度とは、時間差の検出おいて生じる誤差の最大値のことを意味する。例えば、撮像装置の時計２０８が秒単位までしか計時しない場合、０秒〜１秒の誤差が生じる可能性がある。
【００６８】
一例として、時間差の検出精度が１秒であり、補正マーカ時刻情報における入力時刻が１０時００分０２秒の試合開始マーカから動画を再生する場合を考える。この場合、動画ファイル管理部４０１は、入力時刻よりも１秒前のシーン（１０時００分０１秒に対応するシーン）から動画を再生する。つまり、動画ファイル管理部４０１は、補正マーカ時刻情報における試合開始マーカの入力時刻よりも１秒遡った時刻から動画を再生する。言い換えると、動画ファイル管理部４０１は、携帯端末装置の時計５３により計時された試合開始マーカの入力時刻（図７における９時５９分５９秒）が時計２０８と時計５３との時間差に基づいて補正された時刻（図７における１０時００分０２秒）から、さらに検出精度に基づく時間（１秒）だけ早めた位置から再生する。
【００６９】
このような構成により、マーカの入力時刻よりも最大誤差の時間だけ前から動画が再生される。このため、時間差検出において最大誤差が生じてしまった場合でも、マーカ入力時刻よりも後から再生されてしまうことを防止できる。また、誤差がほとんど生じなかった場合は、当該マーカ入力時刻よりも前から動画が再生される。このため、再生される動画には、必ずマーカが入力されたイベントが含まれる。上記の例においては、試合開始のシーンが必ず再生された動画に含まれる。したがって、検出精度の影響により、マーカ入力されたイベントの後から動画が再生され、マーカに対応するイベントを見逃してしまうことを防止できる。
なお、マーカの入力操作に起因する誤差時間を考慮して、補正マーカ時刻情報のマーカ入力時刻から所定時間（例えば５秒）だけ前の位置を再生開始位置（補正マーカ時刻情報のマーカ入力時刻に基づく動画の再生開始位置）として設定することも考えられる。この場合、動画ファイル管理部４０１は、当該再生開始位置を検出精度に応じた時間（１秒）だけさらに早める。
【００７０】
一方、動画ファイル管理部４０１は、動画にマーカ画像を表示させる場合、時間差の検出精度に応じて、マーカの入力時刻に基づくマーカ画像の再生位置よりも後の時刻においてマーカ画像を動画に重畳して再生する。つまり、動画ファイル管理部４０１は、補正マーカ時刻情報のマーカの入力時刻に基づくマーカ画像の再生位置を、検出精度に応じた時間だけ遅らせる。
【００７１】
一例として、時間差の検出精度が１秒であり、入力時刻が１０時１２分０８秒の得点マーカに対応するマーカ画像を動画重畳して再生する場合を考える。この場合、動画ファイル管理部４０１は、入力時刻よりも１秒後のシーン（１０時１２分０９秒に対応するシーン）において得点マーカに対応するマーカ画像を表示させる（表示画像データ生成部４０３に画像を重畳させる）。つまり、動画ファイル管理部４０１は、補正マーカ時刻情報における得点マーカの入力時刻よりも１秒遅れた時刻において得点マーカに対応するマーカ画像を表示させる。言い換えると、動画ファイル管理部４０１は、携帯端末装置の時計５３により計時された試合開始マーカの入力時刻（図７における１０時１２分０５秒）が時計２０８と時計５３との時間差に基づいて補正された時刻（図７における１０時１２分０８秒）から、さらに検出精度に基づく時間（１秒）だけ遅らせた位置においてマーカ画像を再生する。
【００７２】
このような構成により、マーカの入力時刻よりも最大誤差の時間だけ後において動画にマーカ画像が表示される。このため、時間差検出において最大誤差が生じてしまった場合でも、当該マーカ入力時刻よりも前にマーカ画像が動画に表示されてしまうことを防止できる。また、誤差がほとんど生じなかった場合は、当該マーカ入力時刻よりも後にマーカ画像が動画に表示される。このため、マーカが入力されたイベント以降にマーカ画像が表示される。上記の例においては、得点マーカのマーカ画像は、得点シーン以降に表示される。したがって、検出精度の影響により、マーカ入力されたイベントが起こる前に、マーカ画像が表示されてしまうことを防止できる。
なお、マーカの入力操作に起因する誤差時間を考慮して、補正マーカ時刻情報のマーカ入力時刻から所定時間（例えば５秒）だけ後の位置をマーカ画像の再生位置（補正マーカ時刻情報のマーカ入力時刻に基づくマーカ画像の再生位置）として設定することも考えられる。この場合、動画ファイル管理部４０１は、当該マーカ画像の再生位置を検出精度に応じた時間（１秒）だけさらに遅らせる。
【００７３】
＜変形例２＞
本実施の形態の変形例２について説明する。変形例２にかかる撮像装置においては、補正部５４３の補正方法が上述の実施の形態とは異なる。なお、その他の構成については撮像装置１と同様であるので、説明を適宜省略する。
【００７４】
変形例２にかかる補正部５４３は、時間差検出部５４２により第１のタイミングにおいて検出された時間差と第２のタイミングにおいて検出された時間差とが異なる場合、第１及び第２のタイミングにおいて検出された時間差に基づいて、当該マーカの入力時刻の補正量を算出する。
【００７５】
図１０を参照して補正部５４３の補正量の算出方法について説明する。図１０においては、縦軸は時間差検出部５４２により検出された時計２０８の時刻と時計５３の時刻との時間差であり、横軸は時間を示す。本例では、時刻ｔ１と時刻ｔ２において、撮像装置１と携帯端末装置５とが接続されるものとする。つまり、時刻ｔ１と時刻ｔ２において、時間差の検出及び補正マーカ時刻情報の送受信が行われる。なお、時刻ｔ１及び時刻ｔ２は、撮像装置１の時計２０８により計時された時刻である。
【００７６】
図１０においては、時間差検出部５４２が時刻ｔ１（第１のタイミング）において検出した時間差は２秒である。また、時間差検出部５４２が時刻ｔ１とは異なる時刻ｔ２（第２のタイミング）において検出した時間差は３秒であるものとする。いずれのタイミングにおいても、携帯端末装置５の時計５３の方が撮像装置１の時計２０８よりも進んでいるものとする。また、ユーザは時刻ｔｓにおいて撮影を開始したものとする。なお、図１０に示すように、検出する時間に応じて時計２０８の時刻と時計５３の時刻との時間差が変化する場合としては、例えば、時計２０８と時計５３との進むスピードが異なる場合等である。また、時刻ｔｓは、撮像装置１の時計２０８により計時された時刻である。
【００７７】
まず、時刻ｔ１において、時間差検出部５４２は、検出した時間差（２秒）を、携帯端末装置５のメモリ５６に格納する。その後、時刻ｔ２において、時間差検出部５４２は、検出した時間差（３秒）をメモリ５６に格納する。
【００７８】
補正部５４３は、時刻ｔ２においてマーカの入力時刻を補正する場合、時刻ｔ２と時刻ｔ１における時間差が変化しているか否かを判定する。時間差が変化している場合、補正部５４３は、時間ｔを変数として時間差の変化を示す関数Ｆ（ｔ）を算出する。
【００７９】
例えば、補正部５４３は、時刻ｔ１と時刻ｔ２との間の時間の変化量（ｔ２−ｔ１）と時間差の変化量（３秒−２秒）とを用いて、関数Ｆ（ｔ）の傾きを算出する。そして、補正部５４３は、時刻ｔ１における座標または時刻ｔ２における座標を用いて、関数Ｆ（ｔ）を求める。
【００８０】
次に、補正部５４３は、撮像開始時刻ｔｓを取得する。補正部５４３は、例えば、携帯端末装置５において録画開始操作が行われた時刻を録画開始時刻ｔｓとして用いる。そして、補正部５４３は、関数Ｆ（ｔ）に録画開始時刻ｔｓを代入し、録画開始時刻ｔｓにおける時間差を求める。なお、図１０の例においては、録画開始時刻ｔｓにおける時間差は２．３秒であるとする。
【００８１】
補正部５４３は、時刻ｔ２の補正処理において、録画開示時刻ｔｓの時間差２．３秒を用いて、マーカ時刻情報のマーカ入力時刻を補正する。具体的には、補正部５４３は、マーカ入力時刻に２．３秒を加算して、マーカ入力時刻を遅らせる。なお、その後の動作については、上述の実施の形態と同様であるため、説明を省略する。
【００８２】
このような構成により、撮像装置１の時計２０８の時刻と携帯端末装置５の時計５３の時刻とが徐々にずれていく場合であっても、適切な補正量を用いて、マーカの入力時刻を補正することができる。
なお、図１０に示した例は、時刻ｔ１と時刻ｔ２との間に記録された動画ファイルが１つの場合について説明したが、時刻ｔ１と時刻ｔ２との間に複数の動画ファイルが記録された場合についても本発明は適用可能である。複数の動画ファイルが記録された場合、補正部５４３は、例えば、以下のステップ（１）〜（５）の処理を行う。
（１）時刻ｔ１と時刻ｔ２の間に記録された動画ファイルの数を変数ｉに代入する。
（２）時刻ｔ１と時刻ｔ２の間に記録されたｉ番目の動画の撮像開始時刻を関数Ｆ（ｔ）に代入して時間差を求め、当該時間差を用いて入力時刻を補正する。
（３）ステップ（２）で補正後の入力時刻がｉ番目の動画の撮像開始時刻以降である場合、補正処理を終了する。一方、補正後の入力時刻がｉ番目の動画の撮像開始時刻より前である場合、ステップ（４）に進む。
（４）ｉ＞１である場合、ｉを１だけ減らしてステップ（２）に進む。ｉ＝１である場合、ステップ（５）に進む。
（５）時刻ｔ１における時間差を用いて入力時刻を補正し、補正処理を終了する。
【００８３】
なお、変形例１にかかる補正部５４３の補正処理は、上述のような関数Ｆ（ｔ）を用いるものに限られない。例えば、第１のタイミングにおいて検出された時間差（２秒）と第２のタイミングにおいて検出された時間差（３秒）との平均値（２．５秒）を補正量として用いてもよい。
【００８４】
また、撮像終了後において、撮像装置１の時計２０８をユーザが手動で調整した場合、時計２０８と時計５３との時間差は図１０のように線形にはならない。そのため、上述の関数を用いる手法を用いることはできない。この場合、次のような方法を用いて、入力時刻の補正処理が行われる。撮像装置１は、ユーザが手動で時計２０８を調整した場合、手動で時刻調整されたことを示すフラグと調整後の時刻ｔｍとを、例えばカード型記録媒体３０２に格納する。ここで、携帯端末装置５の時計５３により計測された前回の補正処理時の時刻をｔ１’、今回の補正処理時の時刻をｔ２’とする。補正部５４３による補正処理時に、（ｔ２−ｔｍ）＜（ｔ２’−ｔ１’）の条件を満たす場合（前回の補正処理後に時計２０８が手動調整された場合）、補正部５４３は、関数Ｆ（ｔ）で求める時間差ではなく、時刻ｔ２において検出された時間差を用いて補正処理を行う。なお、前回の補正処理後に時計２０８が手動調整されたか否かを判定するために、携帯端末装置５の時刻ｔ１’、ｔ２’を用いているのは、撮像装置１の時計２０８により計測した時刻ｔ１は、時計２０８の手動調整により無意味になってしまうからである。これにより、時間差検出部５４２による時間差の検出後に時刻調整された場合であっても、動画の適切な時刻から再生したり、マーカを表示させたりすることができる。
【００８５】
以上、本発明を上記実施形態に即して説明したが、上記実施形態の構成にのみ限定されるものではなく、本願発明の範囲内で当業者であればなし得る各種変形、修正、組み合わせを含むことは勿論である。
【００８６】
例えば、カード型記録媒体３０２内に記憶する情報の一部は、撮像装置１に着脱可能な記憶装置（例えばＵＳＢメモリ）に記憶されても良いことは言うまでもない。また、撮像装置１は、ネットワーク上からカード型記録媒体３０２内に保持すべき情報を適宜ダウンロードしても良い。また、カード型記録媒体３０２内に記憶されている情報の少なくとも一部は、中央制御部４００内の記憶部（図示せず）に記憶されていても良い。
【００８７】
また、上述の実施の形態においては、携帯端末装置５が時間差検出部５４２及び補正部５４３を有していたが、これに限られるものではない。例えば、撮像装置１が時間差検出部５４２及び補正部５４３を有していてもよい。そして、撮像装置１が、携帯端末装置５から送信される（補正前の）マーカ時刻情報を受信し、当該マーカ時刻情報を補正してもよい。
【００８８】
さらに、上述の実施の形態においては、撮像装置１において動画の再生が行われていたが、これに限られるものではなく、外部装置が動画を再生してもよい。例えば、携帯端末装置５が外部サーバに補正マーカ時刻情報を送信する。同様に、撮像装置１が外部サーバに動画ファイルを送信する。そして、外部サーバにおいて、補正マーカ時刻情報に基づいて、動画ファイルが再生されてもよい。加えて、外部サーバが時間差検出部５４２及び補正部５４３を有していてもよい。
【００８９】
また、上述の撮像装置及び携帯端末装置の任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９０】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００９１】
１  撮像装置
５  携帯端末装置
５１  表示部
５２  入力部
５３  時計
５４  制御部
５５  通信部
５６  メモリ
１００  撮像部
２０８  時計
３０２  カード型記録媒体
３０４  液晶モニタ
３０６  操作部
３０９  無線モジュール
４００  中央制御部
４０１  動画ファイル管理部
４０２  マーカデータ管理部
４０３  表示画像データ生成部
【図１】
2015002356.tif 000003
【図２】
2015002356.tif 000004
【図３】
2015002356.tif 000005
【図４】
2015002356.tif 000006
【図５】
2015002356.tif 000007
【図６】
2015002356.tif 000008
【図７】
2015002356.tif 000009
【図８】
2015002356.tif 000010
【図９】
2015002356.tif 000011
【図１０】
2015002356.tif 000012